(57)【要約】　　　（修正有）【課題】天候など周囲環境による使用制限を受けることのない表示装置を提供する。【解決手段】表示装置に関する各種操作や設定を行うことが可能なワイヤレスリモコンに、カードリーダ等の記憶媒体読み込み手段を設け、表示装置に転送しようとする表示データ、表示スケジュールデータ、各種設定データを記憶したメモリカード等の記憶媒体をカードリーダに装着する。メモリーカードから表示装置へデータ転送を行う際には、リモコン上でメモリカード内のデータを読み出し、ワイヤレスで表示装置側へ転送する。【選択図】　図２
0003098679.tif 000002
【実用新案登録請求の範囲】
【請求項１】
基板上に複数配列した発光素子を選択的に発光させることで文字・絵記号等を発光表示する表示装置であって、着脱自在な記憶媒体を介して表示装置に関する各種データの読み込みを行うと共に、ワイヤレスの入力装置によって各種操作や各種設定を行うことが可能な表示装置において、
前記記憶媒体の記憶内容を読み込む記憶媒体読込手段を前記入力装置に備え、記憶媒体に記憶した各種データを入力装置を介してワイヤレスで読み込むことを特徴とする表示装置。
【請求項２】
請求項１記載の表示装置において、前記入力装置がワイヤレスリモコンであることを特徴とする表示装置。
【請求項３】
請求項１または２記載の表示装置において、前記記憶媒体がカード型メモリであることを特徴とする表示装置。
【考案の詳細な説明】
【０００１】
【産業上の利用分野】
本考案は、複数の発光素子をプリント配線基板上に配し、各発光素子を選択的に発光させることで所定の文字、図形、記号、模様等を表示する装置に関し、特に、リモコン等のワイヤレス入力装置によって各種設定や表示データの転送が可能な装置に関する。
【０００２】
【従来の技術】
多数配列したＬＥＤ等の発光素子を点滅制御することで文字や画像を発光表示する装置が知られている。このような表示装置では、予め作成した文字や画像の組み合わせからなる表示データを、表示時期を指定する表示スケジュールデータと共に表示装置内部のメモリに記憶しており、リアルタイムクロック等から得る時刻情報を基に、表示スケジュールデータに従って、表示対象となる表示データを読み出して発光表示する動作が行われている。
【０００３】
この種の表示装置にあって、特に店舗先等で使用される小型から中型サイズの表示装置の多くは、表示データや表示スケジュールデータの作成や設定、あるいは表示装置の各種設定に関わる操作をリモコン等のワイヤレス入力装置により行っている。発光素子を配列してなる表示画面に向かってリモコンを操作し、表示画面を利用して各種設定や操作を行うのである。表示装置に関するほとんどの操作が、リモコン側の操作だけでワイヤレスで行うことができるようになっている。
【０００４】
【考案が解決しようとする課題】
しかしながら、パソコンなど外部の編集装置で作成し記憶媒体に保存した表示ソフトを表示装置に読み込む場合、記憶媒体を表示装置に装着する作業が必要であった。装置の筐体に設けられたカバーを開け、記憶媒体としてのＰＣカードをカバー内のカード差込口に装着した上で、リモコンによりＰＣカードから表示装置本体へデータ転送の操作を行うのである。そのため、水濡れに細心の注意を払う必要があり、屋外に設置されているケースでは、カード差込口付近に雨等による水濡れがある場合はＰＣカードの取り扱いを控える必要があった。
【０００５】
本考案はこのような問題点に対処しなされたもので、その課題とするところは、ＰＣカード等の記憶媒体から表示装置へデータ転送を行う場合に、天候など周囲環境による使用制限を受けることのない表示装置を提供できないかという点にある。
【０００６】
【課題を解決するための手段】
（１）上記の課題を解決するため、本考案は、基板上に複数配列した発光素子を選択的に発光させることで文字・絵記号等を発光表示する表示装置であって、着脱自在な記憶媒体を介して表示装置に関する各種データの読み込みを行うと共に、ワイヤレスの入力装置によって各種操作や各種設定を行うことが可能な表示装置において、前記記憶媒体の記憶内容を読み込む記憶媒体読込手段を前記入力装置に備え、記憶媒体に記憶した各種データを入力装置を介してワイヤレスで読み込むことを特徴とする表示装置を提案する。
【０００７】
（２）なお、上記提案の表示装置において、入力装置はワイヤレスリモコンであることが望ましい。
【０００８】
（３）また、上記（１）（２）提案の表示装置において、記憶媒体はカード型メモリであることが望ましい。
【０００９】
【作用】
上記提案によれば、表示データや表示スケジュールデータといった表示装置に関する各種データを記憶媒体に記憶し、この記憶媒体をワイヤレスの入力装置に装着して、記憶媒体から表示装置へのデータ読み込み操作を行うことにより、記憶媒体の記憶内容をワイヤレスで表示装置へ転送する。したがって、表示装置と記憶媒体とが完全に非接触となり、入力装置側だけで記憶媒体から表示装置へのデータ転送を行うことができる。
【００１０】
また、入力装置としてワイヤレスリモコンを用いるので、屋外で使用する際の持ち運び性や取り扱い性の点に優れる。
【００１１】
また、記憶媒体としてフラッシュメモリを採用したカード型のメモリを用いるので、記憶媒体読込手段としてのカードリーダをリモコンに設けても、実使用する上で差し支えのない程度のサイズアップに収めることができる。
【００１２】
【実施例】
以下、図面を基に、本考案の実施例について説明する。図１は本考案実施例に関わる表示装置の全体構成を示す説明図である。１は表示部で、プリント基板上に複数のＬＥＤをドットマトリクス状に配列して構成している。この表示部１には複数の文字を表示することが可能であり、本実施例では、１６×１６ドットのマトリクスで表される全角サイズの文字が横方向に３文字、縦方向に２文字、合計６文字表示可能なように４８×３２ドットでマトリクスを構成している。２は表示駆動部であり、シフトレジスタ回路およびラッチ回路等からなり、後述する制御部より表示制御データを受けて表示部１に配列したＬＥＤをダイナミック点灯駆動し、マトリクス上に文字や図形・記号等を発光表示する。
【００１３】
３は制御部たるＣＰＵで、メモリ４で記憶するプログラムに従い表示処理手順をこなす。メモリ４は、表示装置全体の動きに関する動作プログラムが記憶されたＲＯＭ４ａと、コードに置き換えられた文字・絵記号（以降キャラクタと表記する）がドットパターンで記憶されるフォントＲＯＭ４ｂと、表示部１に表示する表示データが複数記憶される表示データ記憶部４ｃと、表示データの表示タイミングを規定する表示スケジュールデータと表示装置に関する各種設定データを記憶するデータ記憶部４ｄとからなっている。
【００１４】
表示データ記憶部４ｃに記憶される１つ１つの表示データは、単独あるいは一連で表示させるキャラクタ・単語・文章で構成されており、識別コードが付与されてこの識別コードと対応付けて記憶される。例えば、表示部１の表示面上段に「営業中」を、下段に「いらっしゃいませ」を常に同時に、あるいは常に連続して表示させたい場合には、「営業中」と「いらっしゃいませ」をセットにして１つの識別コードが付与され、「営業中」と「いらっしゃいませ」を別々のタイミングで表示したい場合には、それぞれに識別コードを付与するようにして表示データ記憶部へ記憶させる。また各表示データには、それをどのような動きで表示するのかを与える表示モード情報が付与される。表示モードには左右上下へのスクロール、反転表示、スピン表示、カーテンスクロールといった公知の表示動作が複数用意されており、表示データを作成する際に表示する内容に合わせて複数のモードを組み合わせて設定することができる。
【００１５】
上記のような表示データを表示するには、各表示データに表示スケジュールデータを与える必要がある。最も簡単にスケジュールデータを与えるには、表示データの識別コードを指定して表示させたい順番にデータ記憶部４ｄへ記憶させればよい。これにより、希望する順番で選択した表示データを連続して表示させることができる。また、選択した表示データを指定する日付もしくは時刻になると自動的に表示させるよう設定することもできる。各表示データに対して表示させたい日付・時刻を表示スケジュールデータとして付与し、データ記憶部４ｄに記憶させるようにする。
【００１６】
ところで、データ記憶部４ｄには、スケジュールデータの他にも表示装置に関する各種設定データが記憶されている。各種設定データとは、１日の中で表示装置の可動時間帯を指定する営業時間の設定、表示装置を終日稼働させない日を指定する休日の設定、表示データを発光表示する際の発光輝度の設定などに関するデータである。営業時間の設定については任意の時間帯を指定することが可能であり、休日の設定については同月内で第１週から第５週までの曜日を指定することが可能である。
【００１７】
５はＶＲＡＭで、メモリ４から読み出した表示データを記憶領域にビット情報として展開し表示駆動部２にＬＥＤ駆動信号として出力する。６はリアルタイムクロックＩＣで、ＣＰＵ３から任意のタイミングで要求を受け、現在時刻と年・日付・曜日を出力する。７は入力装置たるワイヤレスリモコンで、表示部１の表示画面上に設けられたリモコン受信部７ａ、リモコンインターフェース７ｂを介して表示装置側と通信を行い、リモコン操作に伴い表示部１に表示されるメニューに従って表示データの作成や変更、あるいは表示スケジュールデータの設定やその他各種データ設定を行うことができる。
【００１８】
次に図２を基にリモコン７の機能について説明する。８はキー操作部で、図示しないが、表示装置の電源を入／切する電源キー、各種設定を行うメニューキー、設定に関するカーソル位置を指定するための方向キー、数字・アルファベット・かなを入力するテンキー、選択した項目の決定を行う決定キーおよびキャンセルを行うキャンセルキー等が配置されている。９は記憶媒体読込手段たるカードリーダで、記憶媒体たるメモリカード１０と接続してカード内の記憶内容を読み込む。メモリカード１０には表示データ、表示スケジュールデータ、各種設定データ（営業時間設定、休日設定、輝度設定など）を記憶させることが可能で、表示装置と離れた別の場所においてそれらデータを作成し、カードに記憶して持ち運ぶことができる。１１はデータ変換部で、カードリーダ９において読み込んだデータ情報をリモコン送信用のデータ情報に変換する。１２は送信部で、データ変換部１１から出力されるデータ情報を前記リモコン受信部７ａへ向けて送信する。なお、メモリカード１０の種類としては、ＰＣカードに準拠した外部端子構造を持つＣＦ（コンパクトフラッシュ）カード（登録商標）、スマートメディア、フラッシュＡＴＡ、ＳＲＡＭカード等の規格に準じたカード型メモリを用いることができる。
【００１９】
次に、本考案実施例に関わるデータ転送動作について図３を基に説明する。
まず、表示装置に転送しようとする表示データ、表示スケジュールデータ、各種設定データを予め記憶してあるメモリカード１０を準備し、リモコン７に備えられたカードリーダ９に差し込んで装着する。次に通常の表示動作が行われている表示部１にリモコン７の送信部１２を向け、メニューキーを押すと、表示部１にメニュー画面が現れる（ａ）。この画面では各種設定項目を選択できるようになっており、リモコンの方向キーを操作して点滅カーソルを「カード」に合わせ、決定キーを押すとデータ転送設定メニューが現れる（ｂ）。この画面で点滅カーソルを「スル」に合わせ、決定キーを押すと、メモリカードから表示装置へのデータ転送が開始される（ｃ）。データ転送が終了すると、表示画面は通常の表示動作に戻り（ａ）データ転送動作を終了する。
【００２０】
【考案の効果】
本考案は以上のように構成されるものであり、メモリカードに保存してある各種データを表示装置側のメモリへ転送するにあたり、メモリカードをリモコンに設けられたカードリーダに装着し、リモコンからワイヤレス通信によって表示装置へデータ転送する。したがって、雨天の際や、表示装置の筐体が水分で濡れているような場合にも、手軽に手元のリモコンからデータ転送を行うことができる。
【図面の簡単な説明】
【図１】本考案実施例に関わる表示装置の全体構成を示す説明図である。
【図２】入力装置たるリモコンの機能を示す説明図である。
【図３】本考案実施例に関わるデータ転送動作の流れを示す説明図である。
【符号の説明】
１　表示部
２　表示駆動部
３　制御部たるＣＰＵ
４　メモリ
７　入力装置たるワイヤレスリモコン
７ａ　リモコン受信部
７ｂ　リモコンインターフェース
８　キー操作部
９　記憶媒体読込手段たるカードリーダ
１０　記憶媒体たるメモリカード
１１　データ変換部
１２　送信部
【図１】
0003098679.tif 000003
【図２】
0003098679.tif 000004
【図３】
0003098679.tif 000005